【手続補正書】
【提出日】平成30年2月8日(2018.2.8)
【手続補正１】
【補正対象書類名】特許請求の範囲
【補正対象項目名】全文
【補正方法】変更
【補正の内容】
【特許請求の範囲】
【請求項１】
組織内の第１管理装置と、組織外の第２管理装置と、を含み、
前記第１管理装置は、
前記第１管理装置が管理する第１画像処理装置の利用について、前記組織内の選択可能な各課金先のうち、ユーザにより選択された課金先に課金するよう課金管理装置に指示する第１課金指示手段と、
ユーザから前記第２管理装置が管理する画像処理装置の利用の予約が要求された場合に、前記組織内の選択可能な課金先についての前記ユーザの選択を受け付け、選択された課金先を特定する特定情報を含む利用予約要求を前記第２管理装置に送信し、その利用予約要求に応じて前記第２管理装置から受信した予約識別情報を前記ユーザに提供する制御を行う予約制御手段と、
前記第２管理装置から料金の情報と前記特定情報とを受信し、その料金をその特定情報により特定される課金先に課金するよう前記課金管理装置に指示する第２課金指示手段と、
を含み、
前記第２管理装置は、
前記第１管理装置から受信した前記利用予約要求に応じて一意な予約識別情報を前記第１画像処理装置に送信する第１送信手段と、
受信した前記利用予約要求に含まれる前記特定情報と、送信した前記予約識別情報と、を対応づけて記憶する記憶手段と、
前記第２管理装置が管理する画像処理装置が前記予約識別情報の入力に応じて利用された場合に、その利用についての料金の情報と、前記記憶手段に記憶されたその予約識別情報に対応する前記特定情報と、を前記第１管理装置に送信する第２送信手段と、
を含む、ことを特徴とする課金管理システム。
【請求項２】
組織内の第１管理装置と、組織外の第２管理装置と、を含み、
前記第１管理装置は、
前記第１管理装置が管理する第１画像処理装置の利用について、前記組織内の選択可能な各課金先のうち、ユーザにより選択された課金先に課金するよう課金管理装置に指示する第１課金指示手段と、
ユーザから前記第２管理装置が管理する画像処理装置の利用の予約が要求された場合に、前記組織内の選択可能な課金先についての前記ユーザの選択を受け付け、利用予約要求を前記第２管理装置に送信し、その利用予約要求に応じて前記第２管理装置から受信した予約識別情報を前記ユーザに提供する制御を行う予約制御手段と、
選択された前記課金先の情報と受信した前記予約識別情報とを対応づけて記憶する記憶手段と、
前記第２管理装置から料金の情報と予約識別情報とを受信し、前記記憶手段からその予約識別情報に対応する課金先を求め、その料金をその課金先に課金するよう前記課金管理装置に指示する第２課金指示手段と、
を含み、
前記第２管理装置は、
前記第１管理装置から受信した前記利用予約要求に応じて一意な予約識別情報を前記第１画像処理装置に送信する第１送信手段と、
前記第２管理装置が管理する画像処理装置が前記予約識別情報の入力に応じて利用された場合に、その利用についての料金の情報と、前記予約識別情報と、を前記第１管理装置に送信する第２送信手段と、
を含む、ことを特徴とする課金管理システム。
【請求項３】
前記第１管理装置の前記予約制御手段は、前記第２管理装置が管理する画像処理装置の利用の予約の要求に対応づけて、前記ユーザからその利用の際の処理対象とする文書データの特徴を示す文書特徴情報の入力を受け、その文書特徴情報を前記利用予約要求と対応づけて前記第２管理装置が管理する前記画像処理装置に送信し、
前記第２管理装置は、
前記第１管理装置からの前記利用予約要求に応じて前記第１送信手段が送信した前記予約識別情報に対応づけて、その利用予約要求と対応づけて受信した前記文書特徴情報を記憶する文書特徴記憶手段と、
前記ユーザから予約識別情報と対応づけて文書データのアップロードを受けた際、その文書データの特徴を示す文書特徴情報が、その予約識別情報と対応づけて前記文書特徴記憶手段に記憶された文書特徴情報と一致していれば、アップロードされたその文書データをその予約識別情報と対応づけて記憶する文書データ記憶手段と、
前記第２管理装置が管理する前記画像処理装置から、ユーザの入力した予約識別情報を含んだ文書要求を受けた場合に、その予約識別情報と対応づけて前記文書データ記憶手段に記憶されている文書データを、その画像処理装置を利用した画像処理の対象として提供する文書提供手段と、
を更に備える、ことを特徴とする請求項１又は２に記載の課金管理システム。
【請求項４】
前記第２管理装置の前記第２送信手段は、前記第２管理装置が管理する画像処理装置の利用についての料金が前記ユーザにより立て替え払い済みである場合に、前記料金の情報と前記予約識別情報と共に、立て替え払い済みの旨を示す情報を前記第１管理装置に送信し、
前記第１画像処理装置は、
前記第２管理装置から前記料金の情報と前記予約識別情報と共に、前記立て替え払い済みの旨を示す情報を受信した場合に、前記料金の情報が示す料金の立て替えの精算を、前記組織内の勘定システムに指示する精算指示手段、
を更に含むことを特徴とする請求項１又は２に記載の課金管理システム。
【請求項５】
組織内の第１管理装置であって、
前記第１管理装置が管理する画像処理装置の利用について、前記組織内の選択可能な各課金先のうち、ユーザにより選択された課金先に課金するよう課金管理装置に指示する第１課金指示手段と、
ユーザから、組織外の第２管理装置が管理する画像処理装置の利用の予約が要求された場合に、前記組織内の選択可能な課金先についての前記ユーザの選択を受け付け、選択された課金先を特定する特定情報を含む利用予約要求を前記第２管理装置に送信し、その利用予約要求に応じて前記第２管理装置から受信した予約識別情報を前記ユーザに提供する制御を行う予約制御手段と、
前記第２管理装置から料金の情報と前記特定情報とを受信し、その料金をその特定情報により特定される課金先に課金するよう前記課金管理装置に指示する第２課金指示手段と、
を含む第１管理装置。
【請求項６】
コンピュータを、組織内の第１管理装置として機能させるためのプログラムであって、前記コンピュータを、
前記第１管理装置が管理する画像処理装置の利用について、前記組織内の選択可能な各課金先のうち、ユーザにより選択された課金先に課金するよう課金管理装置に指示する第１課金指示手段、
ユーザから、組織外の第２管理装置が管理する画像処理装置の利用の予約が要求された場合に、前記組織内の選択可能な課金先についての前記ユーザの選択を受け付け、選択された課金先を特定する特定情報を含む利用予約要求を前記第２管理装置に送信し、その利用予約要求に応じて前記第２管理装置から受信した予約識別情報を前記ユーザに提供する制御を行う予約制御手段、
前記第２管理装置から料金の情報と前記特定情報とを受信し、その料金をその特定情報により特定される課金先に課金するよう前記課金管理装置に指示する第２課金指示手段、
として機能させるためのプログラム。
【請求項７】
組織外の第２管理装置であって、
組織内の第１管理装置から受信した利用予約要求に応じて一意な予約識別情報を前記第１管理装置が管理する画像処理装置に送信する第１送信手段と、
受信した前記利用予約要求に含まれる、課金先を特定する特定情報と、送信した前記予約識別情報と、を対応づけて記憶する記憶手段と、
前記第２管理装置が管理する画像処理装置が前記予約識別情報の入力に応じて利用された場合に、その利用についての料金の情報と、前記記憶手段に記憶されたその予約識別情報に対応する前記特定情報と、を前記第１管理装置に送信する第２送信手段と、
を含む第２管理装置。
【請求項８】
コンピュータを、組織外の第２管理装置として機能させるためのプログラムであって、前記コンピュータを、
組織内の第１管理装置から受信した利用予約要求に応じて一意な予約識別情報を前記第１管理装置が管理する画像処理装置に送信する第１送信手段、
受信した前記利用予約要求に含まれる、課金先を特定する特定情報と、送信した前記予約識別情報と、を対応づけて記憶する記憶手段、
前記第２管理装置が管理する画像処理装置が前記予約識別情報の入力に応じて利用された場合に、その利用についての料金の情報と、前記記憶手段に記憶されたその予約識別情報に対応する前記特定情報と、を前記第１管理装置に送信する第２送信手段、
として機能させるためのプログラム。
【請求項９】
組織内の第１管理装置であって、
前記第１管理装置が管理する画像処理装置の利用について、前記組織内の選択可能な各課金先のうち、ユーザにより選択された課金先に課金するよう課金管理装置に指示する第１課金指示手段と、
ユーザから、組織外の第２管理装置が管理する画像処理装置の利用の予約が要求された場合に、前記組織内の選択可能な課金先についての前記ユーザの選択を受け付け、利用予約要求を前記第２管理装置に送信し、その利用予約要求に応じて前記第２管理装置から受信した予約識別情報を前記ユーザに提供する制御を行う予約制御手段と、
選択された前記課金先の情報と受信した前記予約識別情報とを対応づけて記憶する記憶手段と、
前記第２管理装置から料金の情報と予約識別情報とを受信し、前記記憶手段からその予約識別情報に対応する課金先を求め、その料金をその課金先に課金するよう前記課金管理装置に指示する第２課金指示手段と、
を含む第１管理装置。
【請求項１０】
コンピュータを、組織内の第１管理装置として機能させるためのプログラムであって、前記コンピュータを、
前記第１管理装置が管理する画像処理装置の利用について、前記組織内の選択可能な各課金先のうち、ユーザにより選択された課金先に課金するよう課金管理装置に指示する第１課金指示手段、
ユーザから、組織外の第２管理装置が管理する画像処理装置の利用の予約が要求された場合に、前記組織内の選択可能な課金先についての前記ユーザの選択を受け付けると共に、利用予約要求を前記第２管理装置に送信し、その利用予約要求に応じて前記第２管理装置から受信した予約識別情報を前記ユーザに提供する制御を行う予約制御手段、
選択された前記課金先の情報と受信した前記予約識別情報とを対応づけて記憶する記憶手段、
前記第２管理装置から料金の情報と予約識別情報とを受信し、前記記憶手段からその予約識別情報に対応する課金先を求め、その料金をその課金先に課金するよう前記課金管理装置に指示する第２課金指示手段、
として機能させるためのプログラム。
【手続補正２】
【補正対象書類名】明細書
【補正対象項目名】０００８
【補正方法】変更
【補正の内容】
【０００８】
請求項１に係る発明は、組織内の第１管理装置と、組織外の第２管理装置と、を含み、前記第１管理装置は、前記第１管理装置が管理する第１画像処理装置の利用について、前記組織内の選択可能な各課金先のうち、ユーザにより選択された課金先に課金するよう課金管理装置に指示する第１課金指示手段と、ユーザから前記第２管理装置が管理する画像処理装置の利用の予約が要求された場合に、前記組織内の選択可能な課金先についての前記ユーザの選択を受け付け、選択された課金先を特定する特定情報を含む利用予約要求を前記第２管理装置に送信し、その利用予約要求に応じて前記第２管理装置から受信した予約識別情報を前記ユーザに提供する制御を行う予約制御手段と、前記第２管理装置から料金の情報と前記特定情報とを受信し、その料金をその特定情報により特定される課金先に課金するよう前記課金管理装置に指示する第２課金指示手段と、を含み、前記第２管理装置は、前記第１管理装置から受信した前記利用予約要求に応じて一意な予約識別情報を前記第１画像処理装置に送信する第１送信手段と、受信した前記利用予約要求に含まれる前記特定情報と、送信した前記予約識別情報と、を対応づけて記憶する記憶手段と、前記第２管理装置が管理する画像処理装置が前記予約識別情報の入力に応じて利用された場合に、その利用についての料金の情報と、前記記憶手段に記憶されたその予約識別情報に対応する前記特定情報と、を前記第１管理装置に送信する第２送信手段と、を含む、ことを特徴とする課金管理システムである。
【手続補正３】
【補正対象書類名】明細書
【補正対象項目名】０００９
【補正方法】変更
【補正の内容】
【０００９】
請求項２に係る発明は、組織内の第１管理装置と、組織外の第２管理装置と、を含み、前記第１管理装置は、前記第１管理装置が管理する第１画像処理装置の利用について、前記組織内の選択可能な各課金先のうち、ユーザにより選択された課金先に課金するよう課金管理装置に指示する第１課金指示手段と、ユーザから前記第２管理装置が管理する画像処理装置の利用の予約が要求された場合に、前記組織内の選択可能な課金先についての前記ユーザの選択を受け付け、利用予約要求を前記第２管理装置に送信し、その利用予約要求に応じて前記第２管理装置から受信した予約識別情報を前記ユーザに提供する制御を行う予約制御手段と、選択された前記課金先の情報と受信した前記予約識別情報とを対応づけて記憶する記憶手段と、前記第２管理装置から料金の情報と予約識別情報とを受信し、前記記憶手段からその予約識別情報に対応する課金先を求め、その料金をその課金先に課金するよう前記課金管理装置に指示する第２課金指示手段と、を含み、前記第２管理装置は、前記第１管理装置から受信した前記利用予約要求に応じて一意な予約識別情報を前記第１画像処理装置に送信する第１送信手段と、前記第２管理装置が管理する画像処理装置が前記予約識別情報の入力に応じて利用された場合に、その利用についての料金の情報と、前記予約識別情報と、を前記第１管理装置に送信する第２送信手段と、を含む、ことを特徴とする課金管理システムである。
【手続補正４】
【補正対象書類名】明細書
【補正対象項目名】００１０
【補正方法】変更
【補正の内容】
【００１０】
請求項３に係る発明は、前記第１管理装置の前記予約制御手段は、前記第２管理装置が管理する画像処理装置の利用の予約の要求に対応づけて、前記ユーザからその利用の際の処理対象とする文書データの特徴を示す文書特徴情報の入力を受け、その文書特徴情報を前記利用予約要求と対応づけて前記第２管理装置が管理する前記画像処理装置に送信し、前記第２管理装置は、前記第１管理装置からの前記利用予約要求に応じて前記第１送信手段が送信した前記予約識別情報に対応づけて、その利用予約要求と対応づけて受信した前記文書特徴情報を記憶する文書特徴記憶手段と、前記ユーザから予約識別情報と対応づけて文書データのアップロードを受けた際、その文書データの特徴を示す文書特徴情報が、その予約識別情報と対応づけて前記文書特徴記憶手段に記憶された文書特徴情報と一致していれば、アップロードされたその文書データをその予約識別情報と対応づけて記憶する文書データ記憶手段と、前記第２管理装置が管理する前記画像処理装置から、ユーザの入力した予約識別情報を含んだ文書要求を受けた場合に、その予約識別情報と対応づけて前記文書データ記憶手段に記憶されている文書データを、その画像処理装置を利用した画像処理の対象として提供する文書提供手段と、を更に備える、ことを特徴とする請求項１又は２に記載の課金管理システムである。
【手続補正５】
【補正対象書類名】明細書
【補正対象項目名】００１１
【補正方法】変更
【補正の内容】
【００１１】
請求項４に係る発明は、前記第２管理装置の前記第２送信手段は、前記第２管理装置が管理する画像処理装置の利用についての料金が前記ユーザにより立て替え払い済みである場合に、前記料金の情報と前記予約識別情報と共に、立て替え払い済みの旨を示す情報を前記第１管理装置に送信し、前記第１画像処理装置は、前記第２管理装置から前記料金の情報と前記予約識別情報と共に、前記立て替え払い済みの旨を示す情報を受信した場合に、前記料金の情報が示す料金の立て替えの精算を、前記組織内の勘定システムに指示する精算指示手段、を更に含むことを特徴とする請求項１又は２に記載の課金管理システムである。
【手続補正６】
【補正対象書類名】明細書
【補正対象項目名】００１２
【補正方法】変更
【補正の内容】
【００１２】
参考例の方法は、組織内の第１画像処理管理装置が、ユーザによる前記第１画像処理管理装置の管理下の画像処理装置の利用について、前記ユーザが選択可能な前記組織内の各課金先のうちの選択された課金先に課金するよう組織内課金管理装置に指示する内部課金指示ステップと、前記第１画像処理装置が、ユーザから、組織外の第２画像処理管理装置の管理下の画像処理装置の利用の予約の要求を受けた場合に、前記ユーザから、前記ユーザが選択可能な前記組織内の課金先のうちその利用についての課金先の選択を受け付けると共に、選択された課金先を特定する特定情報を含む利用予約要求を前記第２画像処理管理装置に送信し、その利用予約要求に応じて前記第２画像処理管理装置から受信した予約識別情報を前記ユーザに提供する制御を行う予約制御ステップと、前記第１画像処理装置が、前記第２画像処理管理装置から料金の情報前記特定情報とを受信し、その料金をその特定情報により特定される課金先に課金するよう前記組織内課金管理装置に指示する外部課金指示ステップと、前記第２画像処理管理装置が、前記第１画像処理管理装置から受信した前記利用予約要求に応じて一意な予約識別情報を前記第１画像処理装置に送信する予約識別情報送信ステップと、前記第２画像処理管理装置が、前記第１画像処理管理装置から受信した前記利用予約要求に含まれる前記特定情報と、送信した前記予約識別情報と、を対応づけて対応記憶手段に記憶する対応記憶ステップと、前記第２画像処理管理装置の管理下の画像処理装置が前記予約識別情報の入力に応じて利用された場合に、前記第２画像処理管理装置が、その利用についての料金の情報と、前記対応記憶手段に記憶されたその予約識別情報に対応する前記特定情報と、を前記第１画像処理管理装置に送信する課金情報送信ステップと、を含む、ことを特徴とする課金管理方法である。
【手続補正７】
【補正対象書類名】明細書
【補正対象項目名】００１３
【補正方法】変更
【補正の内容】
【００１３】
参考例の方法は、組織内の第１画像処理管理装置が、ユーザによる前記第１画像処理管理装置の管理下の画像処理装置の利用について、前記ユーザが選択可能な前記組織内の各課金先のうちの選択された課金先に課金するよう組織内課金管理装置に指示する内部課金指示ステップと、前記第１画像処理管理装置が、ユーザから、組織外の第２画像処理管理装置の管理下の画像処理装置の利用の予約の要求を受けた場合に、前記ユーザから、前記ユーザが選択可能な前記組織内の課金先のうちその利用についての課金先の選択を受け付けると共に、利用予約要求を前記第２画像処理管理装置に送信し、その利用予約要求に応じて前記第２画像処理管理装置から受信した予約識別情報を前記ユーザに提供する制御を行う予約制御ステップと、前記第１画像処理管理装置が、選択された前記課金先の情報と受信した前記予約識別情報とを対応づけて対応記憶手段に記憶する対応記憶ステップと、前記第１画像処理管理装置が、前記第２画像処理管理装置から料金の情報と予約識別情報とを受信し、前記対応記憶手段からその予約識別情報に対応する課金先を求め、その料金をその課金先に課金するよう前記組織内課金管理装置に指示する外部課金指示ステップと、前記第２画像処理管理装置が、前記第１画像処理管理装置から受信した前記利用予約要求に応じて一意な予約識別情報を前記第１画像処理装置に送信する予約識別情報送信ステップと、前記第２画像処理管理装置の管理下の画像処理装置が前記予約識別情報の入力に応じて利用された場合に、前記第２画像処理管理装置が、その利用についての料金の情報と、前記予約識別情報と、を前記第１画像処理管理装置に送信する課金情報送信ステップと、を含む、ことを特徴とする課金管理方法である。
【手続補正８】
【補正対象書類名】明細書
【補正対象項目名】００１４
【補正方法】変更
【補正の内容】
【００１４】
請求項５に係る発明は、組織内の第１管理装置であって、前記第１管理装置が管理する画像処理装置の利用について、前記組織内の選択可能な各課金先のうち、ユーザにより選択された課金先に課金するよう課金管理装置に指示する第１課金指示手段と、ユーザから、組織外の第２管理装置が管理する画像処理装置の利用の予約が要求された場合に、前記組織内の選択可能な課金先についての前記ユーザの選択を受け付け、選択された課金先を特定する特定情報を含む利用予約要求を前記第２管理装置に送信し、その利用予約要求に応じて前記第２管理装置から受信した予約識別情報を前記ユーザに提供する制御を行う予約制御手段と、前記第２管理装置から料金の情報と前記特定情報とを受信し、その料金をその特定情報により特定される課金先に課金するよう前記課金管理装置に指示する第２課金指示手段と、を含む第１管理装置である。
【手続補正９】
【補正対象書類名】明細書
【補正対象項目名】００１５
【補正方法】変更
【補正の内容】
【００１５】
請求項６に係る発明は、コンピュータを、組織内の第１管理装置として機能させるためのプログラムであって、前記コンピュータを、前記第１管理装置が管理する画像処理装置の利用について、前記組織内の選択可能な各課金先のうち、ユーザにより選択された課金先に課金するよう課金管理装置に指示する第１課金指示手段、ユーザから、組織外の第２管理装置が管理する画像処理装置の利用の予約が要求された場合に、前記組織内の選択可能な課金先についての前記ユーザの選択を受け付け、選択された課金先を特定する特定情報を含む利用予約要求を前記第２管理装置に送信し、その利用予約要求に応じて前記第２管理装置から受信した予約識別情報を前記ユーザに提供する制御を行う予約制御手段、前記第２管理装置から料金の情報と前記特定情報とを受信し、その料金をその特定情報により特定される課金先に課金するよう前記課金管理装置に指示する第２課金指示手段、として機能させるためのプログラムである。
【手続補正１０】
【補正対象書類名】明細書
【補正対象項目名】００１６
【補正方法】変更
【補正の内容】
【００１６】
請求項７に係る発明は、組織外の第２管理装置であって、組織内の第１管理装置から受信した利用予約要求に応じて一意な予約識別情報を前記第１管理装置が管理する画像処理装置に送信する第１送信手段と、受信した前記利用予約要求に含まれる、課金先を特定する特定情報と、送信した前記予約識別情報と、を対応づけて記憶する記憶手段と、前記第２管理装置が管理する画像処理装置が前記予約識別情報の入力に応じて利用された場合に、その利用についての料金の情報と、前記記憶手段に記憶されたその予約識別情報に対応する前記特定情報と、を前記第１管理装置に送信する第２送信手段と、を含む第２管理装置である。
【手続補正１１】
【補正対象書類名】明細書
【補正対象項目名】００１７
【補正方法】変更
【補正の内容】
【００１７】
請求項８に係る発明は、コンピュータを、組織外の第２管理装置として機能させるためのプログラムであって、前記コンピュータを、組織内の第１管理装置から受信した利用予約要求に応じて一意な予約識別情報を前記第１管理装置が管理する画像処理装置に送信する第１送信手段、受信した前記利用予約要求に含まれる、課金先を特定する特定情報と、送信した前記予約識別情報と、を対応づけて記憶する記憶手段、前記第２管理装置が管理する画像処理装置が前記予約識別情報の入力に応じて利用された場合に、その利用についての料金の情報と、前記記憶手段に記憶されたその予約識別情報に対応する前記特定情報と、を前記第１管理装置に送信する第２送信手段、として機能させるためのプログラムである。
【手続補正１２】
【補正対象書類名】明細書
【補正対象項目名】００１８
【補正方法】変更
【補正の内容】
【００１８】
請求項９に係る発明は、組織内の第１管理装置であって、前記第１管理装置が管理する画像処理装置の利用について、前記組織内の選択可能な各課金先のうち、ユーザにより選択された課金先に課金するよう課金管理装置に指示する第１課金指示手段と、ユーザから、組織外の第２管理装置が管理する画像処理装置の利用の予約が要求された場合に、前記組織内の選択可能な課金先についての前記ユーザの選択を受け付け、利用予約要求を前記第２管理装置に送信し、その利用予約要求に応じて前記第２管理装置から受信した予約識別情報を前記ユーザに提供する制御を行う予約制御手段と、選択された前記課金先の情報と受信した前記予約識別情報とを対応づけて記憶する記憶手段と、前記第２管理装置から料金の情報と予約識別情報とを受信し、前記記憶手段からその予約識別情報に対応する課金先を求め、その料金をその課金先に課金するよう前記課金管理装置に指示する第２課金指示手段と、を含む第１管理装置である。
【手続補正１３】
【補正対象書類名】明細書
【補正対象項目名】００１９
【補正方法】変更
【補正の内容】
【００１９】
請求項１０に係る発明は、コンピュータを、組織内の第１管理装置として機能させるためのプログラムであって、前記コンピュータを、前記第１管理装置が管理する画像処理装置の利用について、前記組織内の選択可能な各課金先のうち、ユーザにより選択された課金先に課金するよう課金管理装置に指示する第１課金指示手段、ユーザから、組織外の第２管理装置が管理する画像処理装置の利用の予約が要求された場合に、前記組織内の選択可能な課金先についての前記ユーザの選択を受け付けると共に、利用予約要求を前記第２管理装置に送信し、その利用予約要求に応じて前記第２管理装置から受信した予約識別情報を前記ユーザに提供する制御を行う予約制御手段、選択された前記課金先の情報と受信した前記予約識別情報とを対応づけて記憶する記憶手段、前記第２管理装置から料金の情報と予約識別情報とを受信し、前記記憶手段からその予約識別情報に対応する課金先を求め、その料金をその課金先に課金するよう前記課金管理装置に指示する第２課金指示手段、として機能させるためのプログラムである。
【手続補正１４】
【補正対象書類名】明細書
【補正対象項目名】００２０
【補正方法】変更
【補正の内容】
【００２０】
請求項１、２、５−１０に係る発明によれば、組織内の第１管理装置の管理する第１画像処理装置の利用についての課金を管理する課金管理装置に、組織内のユーザによる組織外の第２管理装置の管理する画像処理装置の利用についての料金を記録できる。
【手続補正１５】
【補正対象書類名】明細書
【補正対象項目名】００２１
【補正方法】変更
【補正の内容】
【００２１】
請求項３に係る発明によれば、第２管理装置の管理する画像処理装置の利用の予約の要求の際にユーザが意図していた文書データとは異なる文書データが、その予約の要求に対応する予約識別情報と対応づけて第２管理装置に登録されることを防ぐことができる。
【手続補正１６】
【補正対象書類名】明細書
【補正対象項目名】００２２
【補正方法】変更
【補正の内容】
【００２２】
請求項４に係る発明によれば、第２管理装置の管理する画像処理装置が、料金支払いがないと処理を実行しないものである場合等においてユーザがその料金を立て替え払いした場合、その立て替えの精算を自動的に行うことができる。